(57)【特許請求の範囲】
【請求項１】
物体側から像面側に順に、正または負の屈折力を持つ第１レンズ群と、正の屈折力を持つ第２レンズ群とから成り、
前記第１レンズ群は、物体側に凸面を向けた負の屈折力を持つメニスカスレンズＬ１を有し、
前記第１レンズ群は、前記負メニスカスレンズＬ１とは別に、正の屈折力を持つレンズと負の屈折力を持つレンズをそれぞれ１枚以上有し、
前記第２レンズ群は、物体側から像面側に順に、正の屈折力を持つ第２レンズ群前群と正の屈折力を持つ第２レンズ群後群とから成り、
前記第２レンズ群前群と前記第２レンズ群後群は、第２レンズ群の中で最も長い光軸上の空気間隔で隔てられ、
前記第２レンズ群後群は、その最も物体側の面が、物体に対し凹面を向けており、
前記第２レンズ群前群と前記第２レンズ群後群の間に、光学絞りを有し、
無限遠物体から近距離物体へのフォーカシングに際して、前記第２レンズ群は物体側へ移動し、
以下に示す条件式（１）乃至（２）を満足することを特徴とする光学系。
（１）１．８４＜ｎｄ１Ｌ１
（２）６０．００＜ｖｄ１ｍｍａｘ−ｖｄ１Ｌ１
ｎｄ１Ｌ１：第１レンズ群が有する物体側に凸面を向けた負の屈折力を持つメニスカスレンズＬ１の屈折率
ｖｄ１ｍｍａｘ：第１レンズ群の負の屈折力を持つ負メニスカスレンズＬ１以外のレンズのアッベ数の最大値
ｖｄ１Ｌ１：第１レンズ群が有する物体側に凸面を向けた負の屈折力を持つメニスカスレンズＬ１のアッベ数
【請求項２】
以下に示す条件式（３）乃至（４）を満足することを特徴とする請求項１に記載の光学系。
（３）１．８５＜ｎｄ１ｐ
（４）ｎｄ２ｐ＜１．７０
ｎｄ１ｐ：第１レンズ群の正の屈折力を持つレンズの平均屈折率
ｎｄ２ｐ：第２レンズ群の正の屈折力を持つレンズの平均屈折率
【請求項３】
以下に示す条件式（５）を満足することを特徴とする請求項１または２に記載の光学系。
（５）−１．００＜ｆ／Ｒ２Ｂｆ＜−０．１０
ｆ：無限遠物体合焦時における光学系全系の焦点距離
Ｒ２Ｂｆ：第２レンズ群後群の最も物体側の光学面の曲率半径
【請求項４】
以下に示す条件式（６）乃至（８）を満足することを特徴とする、請求項１乃至３のいずれかに記載の光学系。
（６）−０．３０＜ｆ／ｆ１＜０．２０
（７）０．１０＜ｆ／ｆ２Ａ＜０．４０
（８）０．３５＜ｆ／ｆ２Ｂ＜０．７０
ｆ１：第１レンズ群の焦点距離
ｆ２Ａ：第２レンズ群前群の焦点距離
ｆ２Ｂ：第２レンズ群後群の焦点距離
【発明の詳細な説明】
【技術分野】
【０００１】
本発明はスチルカメラ、ビデオカメラ等の撮像装置に好適な撮影レンズのうち、大口径レンズに用いられる光学系に関し、特に歪曲収差や軸上色収差等の諸収差を強く補正した光学系に関する。
【背景技術】
【０００２】
光学系をミラーアップ機構を採用する一眼レフシステムの交換レンズに適用するためには、一定以上のバックフォーカスを確保しておかなくてはならず、特に広角レンズに於いてはしばしば問題となる。こうした長いバックフォーカスを持つ広角単焦点光学系として、光学系の最も物体側から順に負、正の屈折力を持つエレメントを配置した、所謂レトロフォーカス型の光学系が提案されている（例えば特許文献１及び２）。
【先行技術文献】
【特許文献】
【０００３】
【特許文献１】特許第５４４１３７７号
【特許文献２】特許第５３９９１７５号
【発明の概要】
【発明が解決しようとする課題】
【０００４】
レトロフォーカス型の光学系は、屈折力の配置が前後非対称であるため、倍率色収差や歪曲収差が発生し易い。また、大口径比とした場合、物体側に配置した負の屈折力を持つエレメントによりマージナル光線が光軸から離れる方向に屈折するため、像側のエレメントや光学絞りが径方向に大型化し易い。
【０００５】
こうした問題を解決する為、例えば特許文献１では、光学絞りより像面側の正の屈折力を持つレンズに屈折率の高い硝材を用いつつ、絞りより物体側の正の屈折力を持つレンズに部分分散性の高い硝材を用いることで、レンズの有効径を小さくしながら軸上色収差の補正を実現している。しかしながら、特許文献１に開示されている光学系は、サジタル像面の湾曲とサジタルコマ収差が著しく、十分な周辺光量の導入と結像性能の両立が難しい。また、最も像面側にあるレンズを通過する光線の光軸からの最大距離が特許文献２に開示されている光学系と比べても長く、製品外径が拡大する他、一眼レフカメラ等の一般的なカメラボディへ連結した際周辺光線が遮られる事が懸念される。
【０００６】
また、特許文献２に開示されている光学系は、物体側レンズ群内で正のパワーを持つレンズと負のパワーを持つレンズとを適切な位置関係で配置することで、大口径比のレトロフォーカス型でありながらレンズ径の大型化を抑制しつつ、サジタルコマ収差の補正を実現している。しかしながら、特許文献２に開示されている光学系は、メリジオナル方向のフレアが大きく、軸上色収差も大きい。
【０００７】
そこで本発明は、スチルカメラ、ビデオカメラ等の撮像装置に好適な撮影レンズのうち、大口径広角レンズに用いられる光学系に関し、特に硝材を適切に配置することによって、球面収差、軸上色収差、倍率色収差、及びコマ収差等の諸収差を良好に補正することで画面全域で良好な画質を得る事が可能であり、一眼レフカメラ等の一般的なカメラボディに連結できる程度に小型化を図った大口径の光学系を提供する。
【課題を解決するための手段】
【０００８】
上記課題を解決するための手段である第１の発明は、物体側から像面側に順に、正または負の屈折力を持つ第１レンズ群と、正の屈折力を持つ第２レンズ群とから成り、前記第１レンズ群が、物体側に凸面を向けた負の屈折力を持つメニスカスレンズＬ１を有し、前記第１レンズ群が、前記負メニスカスレンズＬ１とは別に、正の屈折力を持つレンズと負の屈折力を持つレンズをそれぞれ１枚以上有し、前記第２レンズ群が、物体側から像面側に順に、正の屈折力を持つ第２レンズ群前群と正の屈折力を持つ第２レンズ群後群とから成り、前記第２レンズ群前群と前記第２レンズ群後群は、第２レンズ群の中で最も長い光軸上の空気間隔で隔てられ、前記第２レンズ群後群は、その最も物体側の面が、物体に対し凹面を向けており、前記第２レンズ群前群と前記第２レンズ群後群の間に、光学絞りを有し、無限遠物体から近距離物体へのフォーカシングに際して、前記第２レンズ群が物体側へ移動し、以下に示す条件式（１）乃至（２）を満足することを特徴とする光学系である。
（１）１．８４＜ｎｄ１Ｌ１
（２）６０．００＜ｖｄ１ｍｍａｘ−ｖｄ１Ｌ１
ｎｄ１Ｌ１：第１レンズ群が有する物体側に凸面を向けた負の屈折力を持つメニスカスレンズＬ１の屈折率
ｖｄ１ｍｍａｘ：第１レンズ群の負の屈折力を持つ負メニスカスレンズＬ１以外のレンズのアッベ数の最大値
ｖｄ１Ｌ１：第１レンズ群が有する物体側に凸面を向けた負の屈折力を持つメニスカスレンズＬ１のアッベ数
【０００９】
また第２の発明は、第１の発明においてさらに、以下に示す条件式（３）乃至（４）を満足することを特徴とする光学系である。
（３）１．８５＜ｎｄ１ｐ
（４）ｎｄ２ｐ＜１．７０
ｎｄ１ｐ：第１レンズ群の正の屈折力を持つレンズの平均屈折率
ｎｄ２ｐ：第２レンズ群の正の屈折力を持つレンズの平均屈折率
【００１０】
また第３の発明は、第１または２の発明においてさらに、以下に示す条件式（５）を満足することを特徴とする光学系である。
（５）−１．００＜ｆ／Ｒ２Ｂｆ＜−０．１０
ｆ：無限遠物体合焦時における光学系全系の焦点距離
Ｒ２Ｂｆ：第２レンズ群後群の最も物体側の光学面の曲率半径
【００１１】
また第４の発明は、第１乃至３いずれかの発明においてさらに、以下に示す条件式（６）乃至（８）を満足することを特徴とする光学系である。
（６）−０．３０＜ｆ／ｆ１＜０．２０
（７）０．１０＜ｆ／ｆ２Ａ＜０．４０
（８）０．３５＜ｆ／ｆ２Ｂ＜０．７０
ｆ１：第１レンズ群の焦点距離
ｆ２Ａ：第２レンズ群前群の焦点距離
ｆ２Ｂ：第２レンズ群後群の焦点距離
【発明の効果】
【００１２】
本発明によれば、スチルカメラ、ビデオカメラ等の撮像装置に好適な撮影レンズのうち、大口径広角レンズに用いられる光学系に関し、特に硝材を適切に配置することによって、球面収差、軸上色収差、倍率色収差、及びコマ収差等の諸収差を良好に補正することで画面全域で良好な画質を得る事が可能であり、一眼レフカメラ等の一般的なカメラボディに連結できる程度に小型化を図った大口径の光学系を提供することができる。
【図面の簡単な説明】
【００１３】
【図１】本発明の実施例１の光学系の広角端無限遠合焦時のレンズ構成図である。
【図２】本発明の実施例１の無限遠合焦時の縦収差図である。
【図３】本発明の実施例１の撮影距離２４８ｍｍの縦収差図である。
【図４】本発明の実施例１の無限遠合焦時の横収差図である。
【図５】本発明の実施例１の撮影距離２４８ｍｍの横収差図である。
【図６】本発明の実施例２の光学系の広角端無限遠合焦時のレンズ構成図である。
【図７】本発明の実施例２の無限遠合焦時の縦収差図である。
【図８】本発明の実施例２の撮影距離２４７ｍｍの縦収差図である。
【図９】本発明の実施例２の無限遠合焦時の横収差図である。
【図１０】本発明の実施例２の撮影距離２４７ｍｍの横収差図である。
【図１１】本発明の実施例３の光学系の広角端無限遠合焦時のレンズ構成図である。
【図１２】本発明の実施例３の無限遠合焦時の縦収差図である。
【図１３】本発明の実施例３の撮影距離２５１ｍｍの縦収差図である。
【図１４】本発明の実施例３の無限遠合焦時の横収差図である。
【図１５】本発明の実施例３の撮影距離２５１ｍｍの横収差図である。
【図１６】本発明の実施例４の光学系の広角端無限遠合焦時のレンズ構成図である。
【図１７】本発明の実施例４の無限遠合焦時の縦収差図である。
【図１８】本発明の実施例４の撮影距離２５７ｍｍの縦収差図である。
【図１９】本発明の実施例４の無限遠合焦時の横収差図である。
【図２０】本発明の実施例４の撮影距離２５７ｍｍの横収差図である。
【図２１】本発明の実施例５の光学系の広角端無限遠合焦時のレンズ構成図である。
【図２２】本発明の実施例５の無限遠合焦時の縦収差図である。
【図２３】本発明の実施例５の撮影距離２４９ｍｍの縦収差図である。
【図２４】本発明の実施例５の無限遠合焦時の横収差図である。
【図２５】本発明の実施例５の撮影距離２４９ｍｍの横収差図である。
【図２６】本発明の実施例６の光学系の広角端無限遠合焦時のレンズ構成図である。
【図２７】本発明の実施例６の無限遠合焦時の縦収差図である。
【図２８】本発明の実施例６の撮影距離２４８ｍｍの縦収差図である。
【図２９】本発明の実施例６の無限遠合焦時の横収差図である。
【図３０】本発明の実施例６の撮影距離２４８ｍｍの横収差図である。
【図３１】本発明の実施例７の光学系の広角端無限遠合焦時のレンズ構成図である。
【図３２】本発明の実施例７の無限遠合焦時の縦収差図である。
【図３３】本発明の実施例７の撮影距離２４７ｍｍの縦収差図である。
【図３４】本発明の実施例７の無限遠合焦時の横収差図である。
【図３５】本発明の実施例７の撮影距離２４７ｍｍの横収差図である。
【図３６】本発明の実施例８の光学系の広角端無限遠合焦時のレンズ構成図である。
【図３７】本発明の実施例８の無限遠合焦時の縦収差図である。
【図３８】本発明の実施例８の撮影距離２５０ｍｍの縦収差図である。
【図３９】本発明の実施例８の無限遠合焦時の横収差図である。
【図４０】本発明の実施例８の撮影距離２５０ｍｍの横収差図である。
【図４１】本発明の実施例１の光学系の広角端無限遠合焦時のレンズ構成図である。
【図４２】本発明の実施例１の無限遠合焦時の縦収差図である。
【図４３】本発明の実施例１の撮影距離２４７ｍｍの縦収差図である。
【図４４】本発明の実施例１の無限遠合焦時の横収差図である。
【図４５】本発明の実施例１の撮影距離２４７ｍｍの横収差図である。
【発明を実施するための形態】
【００１４】
本発明の光学系は、第１の発明として、物体側から像面側に順に、正または負の屈折力を持つ第１レンズ群と、正の屈折力を持つ第２レンズ群とから成り、前記第１レンズ群が、物体側に凸面を向けた負の屈折力を持つメニスカスレンズＬ１を有し、前記第１レンズ群が、前記負メニスカスレンズＬ１とは別に、正の屈折力を持つレンズと負の屈折力を持つレンズをそれぞれ１枚以上有し、前記第２レンズ群が、物体側から像面側に順に、正の屈折力を持つ第２レンズ群前群と正の屈折力を持つ第２レンズ群後群とから成り、前記第２レンズ群前群と前記第２レンズ群後群は、第２レンズ群の中で最も長い光軸上の空気間隔で隔てられ、前記第２レンズ群後群は、その最も物体側の面が、物体に対し凹面を向けており、前記第２レンズ群前群と前記第２レンズ群後群の間に、光学絞りを有し、無限遠物体から近距離物体へのフォーカシングに際して、前記第２レンズ群が物体側へ移動し、以下に示す条件式（１）乃至（２）を満足することを特徴とする。
（１）１．８４＜ｎｄ１Ｌ１
（２）６０．００＜ｖｄ１ｍｍａｘ−ｖｄ１Ｌ１
ｎｄ１Ｌ１：第１レンズ群が有する物体側に凸面を向けた負の屈折力を持つメニスカスレンズＬ１の屈折率
ｖｄ１ｍｍａｘ：第１レンズ群の負の屈折力を持つ負メニスカスレンズＬ１以外のレンズのアッベ数の最大値
ｖｄ１Ｌ１：第１レンズ群が有する物体側に凸面を向けた負の屈折力を持つメニスカスレンズＬ１のアッベ数
【００１５】
第１の発明である光学系の第１レンズ群Ｇ１は、物体側に凸面を向けた負の屈折力を持つメニスカスレンズＬ１を有する。このような構成を取る事により、歪曲収差やコマ収差を補正困難なほど発生させることなく、第１レンズ群Ｇ１にワイドコンバージョンレンズとしての機能を与えるが可能になった。
【００１６】
第１の発明である光学系の第１レンズ群Ｇ１は、第１レンズ群Ｇ１が、負メニスカスレンズＬ１とは別に、正の屈折力を持つレンズと負の屈折力を持つレンズをそれぞれ１枚以上有する。このような構成を取る事により、第１レンズ群Ｇ１内でコマ収差や非点収差を補正する事が可能になった。
【００１７】
条件式（１）は第１レンズ群Ｇ１が有する物体側に凸面を向けた負の屈折力を持つメニスカスレンズＬ１の屈折率を規定するものである。この条件式を満たすことで、負メニスカスレンズＬ１で発生する歪曲収差やコマ収差を抑制しつつ、負の屈折力を強める効果が得られる。条件式（１）の下限値を超え、負メニスカスレンズＬ１の屈折率が低くなると、第１レンズ群Ｇ１に負の屈折力を与えることとコマ収差や歪曲収差を補正することを両立させることが困難になる。なお、条件式（１）について、その下限値をさらに１．８４とすることで、前述の効果をより確実にすることができる。
【００１８】
条件式（２）は第１レンズ群Ｇ１の負の屈折力を持つレンズのアッベ数の関係を規定するものである。倍率色収差を補正するためには、第１レンズ群Ｇ１の負の屈折力を持つレンズは低分散かつ部分分散比が高いことが好ましく、部分分散比が高い硝材は高分散高屈折率のものか低分散低屈折率のものが多いので、倍率色収差補正のためには負の屈折力を持つレンズの硝材として低分散低屈折率のものを選ぶほうが有利である。しかし、条件式（１）の効果で説明したように、第１レンズ群Ｇ１に負の屈折力を与えることとコマ収差や歪曲収差を補正することを両立させるためには負の屈折力を持つレンズに高屈折率の硝材を利用する必要がある。この条件式を満たすことで、負メニスカスレンズＬ１を高分散高屈折率とし、その他の負の屈折力を持つレンズを低分散低屈折率として、負の屈折力を持つレンズに部分分散比の高い硝材が選びやすくなり、倍率色収差を補正する効果が得られる。条件式（２）の下限値を超え、第１レンズ群Ｇ１の負の屈折力を持つ負メニスカスレンズＬ１以外のレンズのアッベ数の最大値と負メニスカスレンズＬ１のアッベ数の差が小さくなると、倍率色収差の補正とコマ収差や歪曲収差の補正を両立させることが困難になる。なお、条件式（２）について、その下限値をさらに６５．００とすることで、前述の効果をより確実にすることができる。
【００１９】
また第２の発明である光学系は、第１の発明においてさらに、以下に示す条件式（３）乃至（４）を満足することを特徴とする。
（３）１．８５＜ｎｄ１ｐ
（４）ｎｄ２ｐ＜１．７０
ｎｄ１ｐ：第１レンズ群の正の屈折力を持つレンズの平均屈折率
ｎｄ２ｐ：第２レンズ群の正の屈折力を持つレンズの平均屈折率
【００２０】
条件式（３）は第１レンズ群Ｇ１の正の屈折力を持つレンズの屈折率の平均値を規定するものである。この条件式を満たすことで、第１レンズ群Ｇ１内の負の屈折力を持つレンズで発生するコマ収差や歪曲収差及び、第２レンズ群Ｇ２で発生する像面の倒れを打ち消す効果が得られる。条件式（３）の下限値を超え、第１レンズ群Ｇ１の正の屈折力を持つレンズの平均屈折率が低くなると、コマ収差や歪曲収差及び像面の倒れを補正することが困難になる。なお、条件式（３）について、その下限値をさらに１．９０とすることで、前述の効果をより確実にすることができる。
【００２１】
条件式（４）は第２レンズ群Ｇ２の正の屈折力を持つレンズの屈折率の平均値を規定するものである。この条件式を満たすことで、軸上色収差や倍率色収差を補正する効果が得られる。条件式（４）の上限値を超え、第２レンズ群Ｇ２の正の屈折力を持つレンズの平均屈折率が高くなると、選択できる硝材は分散が大きく部分分散比が小さいものに限られるため、軸上色収差や倍率色収差を補正することが困難になる。なお、条件式（４）について、その上限値をさらに１．６５とすることで、前述の効果をより確実にすることができる。
【００２２】
また第３の発明である光学系は、第１又は２の発明においてさらに、以下に示す条件式（５）を満足することを特徴とする。
（５）−１．００＜ｆ／Ｒ２Ｂｆ＜−０．１０
ｆ：無限遠物体合焦時における光学系全系の焦点距離
Ｒ２Ｂｆ：第２レンズ群後群Ｇ２Ｂの最も物体側の光学面の曲率半径
【００２３】
第１の発明である光学系の第２レンズ群前群Ｇ２Ａと第２レンズ群後群Ｇ２Ｂは、第２レンズ群Ｇ２の中で最も長い光軸上の空気間隔で隔てられている。このような構成を取る事により、第２レンズ群前群Ｇ２Ａと第２レンズ群後群Ｇ２Ｂの間に光学絞りやフィルタ等を挿入するスペースを確保する事が可能になった。
【００２４】
第１の発明である光学系の前記第２レンズ群後群Ｇ２Ｂは、その最も物体側の面が、物体に対し凹面を向けている。このような構成を取る事により、この面で球面収差や非点収差を補正することが可能になり、第２レンズ群前群Ｇ２Ａと第２レンズ群後群Ｇ２Ｂの間に挿入される光学絞りやフィルタ等の径を小さく抑えることが可能になった。
【００２５】
条件式（５）は第２レンズ群後群Ｇ２Ｂの最も物体側の光学面の曲率を規定するものである。この条件式を満たすことで、第２レンズ群前群Ｇ２Ａと第２レンズ群後群Ｇ２Ｂの間に挿入される光学絞りやフィルタ等の径を小さく抑えつつ、コマ収差の発生を抑制する効果が得られる。条件式（５）の下限値を超え、第２レンズ群後群Ｇ２Ｂの最も物体側の光学面の曲率が強くなると、この面で発生するコマ収差を補正することが困難になる。また、条件式（５）の上限値を超え、第２レンズ群後群Ｇ２Ｂの最も物体側の光学面の曲率が弱くなると、この面を利用して球面収差や非点収差を十分補正することが困難になる他、第２レンズ群前群Ｇ２Ａと第２レンズ群後群Ｇ２Ｂの間に挿入される光学絞りやフィルタ等の径を小さく抑えることが困難になる。なお、条件式（５）について、その上限値をさらに−０．１５に、また、下限値をさらに−０．９５とすることで、前述の効果をより確実にすることができる。
【００２６】
また第４の発明である光学系は、第１乃至３いずれかの発明であってさらに、以下に示す条件式（６）乃至（８）を満足することを特徴とする。
（６）−０．３０＜ｆ／ｆ１＜０．２０
（７）０．１０＜ｆ／ｆ２Ａ＜０．４０
（８）０．３５＜ｆ／ｆ２Ｂ＜０．７０
ｆ１：第１レンズ群Ｇ１の焦点距離
ｆ２Ａ：第２レンズ群前群Ｇ２Ａの焦点距離
ｆ２Ｂ：第２レンズ群後群Ｇ２Ｂの焦点距離
【００２７】
条件式（６）は第１レンズ群Ｇ１の焦点距離を規定するものである。この条件式を満たすことで、第１レンズ群Ｇ１のワンドコンバージョンレンズとしての効果を確保しつつ、光学系のサイズを抑え、歪曲収差等の諸収差を補正する事ができる。条件式（６）の上限値を超え、第１レンズ群Ｇ１の正の屈折力が強くなると、第１レンズ群Ｇ１のワンドコンバージョンレンズとしての効果が弱くなり、バックフォーカスを確保する事が困難になる他、物体側のレンズの径が拡大し易くなる。また、条件式（６）の下限値を超え、第１レンズ群Ｇ１の負の屈折力が強くなると、第２レンズ群Ｇ２の径が拡大する他、コマ収差や歪曲収差を補正することが困難になる。なお、条件式（６）について、その上限値をさらに０．１５に、また、下限値をさらにー０．２５とすることで、前述の効果をより確実にすることができる。
【００２８】
条件式（７）は第２レンズ群前群Ｇ２Ａの焦点距離を規定するものである。この条件式を満たすことで、光学系のサイズを抑えつつ、非点収差と歪曲収差をバランスよく改善する事ができる。条件式（７）の上限値を超え、第１レンズ群前群Ｇ２Ａの正の屈折力が強くなると、発生する球面収差や非点収差を抑制することが困難になる。また、条件式（７）の下限値を超え、第２レンズ群前群Ｇ２Ａの正の屈折力が弱くなると、第２レンズ群後群Ｇ２Ｂと歪曲収差補正等のバランスを取る事が困難になる他、第２レンズ群後群Ｇ２Ｂの径が拡大する。なお、条件式（７）について、その下限値をさらに０．１５に、また、上限値をさらに０．３５とすることで、前述の効果をより確実にすることができる。
【００２９】
条件式（８）は第２レンズ群後群Ｇ２Ｂの焦点距離を規定するものである。この条件式を満たすことで、光学系のサイズを抑えつつ、軸上色収差と非点収差をバランスよく改善する事ができる。条件式（８）の上限値を超え、第２レンズ群後群Ｇ２Ｂの正の屈折力が強くなると、軸上色収差を抑制しつつコマ収差や非点収差を補正することが困難になる。また、条件式（８）の下限値を超え、第２レンズ群後群Ｇ２Ｂの正の屈折力が弱くなると、第２レンズ群前群Ｇ２Ａの径が拡大する他、第２レンズ群前群Ｇ２Ａの正の屈折力の負担が増え、収差補正上好ましくない。なお、条件式（８）について、その下限値をさらに０．４０に、また、上限値をさらに０．６０とすることで、前述の効果をより確実にすることができる。
【００３０】
次に、本発明の光学系に係る実施例のレンズ構成について説明する。なお、以下の説明ではレンズ構成を物体側から像面側の順番で記載する。
【実施例１】
【００３１】
図１は、本発明の実施例１の光学系のレンズ構成図である。第１レンズ群Ｇ１は、物体側から順に、請求項１に記載のＬ１にあたる物体側に凸面を向けた負メニスカスレンズ、物体側に非球面を形成した凸面を向けた負メニスカスレンズ、物体側に凸面を向けた負メニスカスレンズ、両凸レンズ、並びに両凹レンズ及び両凸レンズから成り、正の屈折力を持つ接合レンズから構成され、全体として負の屈折力を持つ。また、第１レンズ群Ｇ１は、無限遠物体から近距離物体へのフォーカシングに際して像面に対する位置が固定である。
【００３２】
第２レンズ群Ｇ２は、第２レンズ群前群Ｇ２Ａと第２レンズ群後群Ｇ２Ｂとから成り、全体として正の屈折力を持つ。また、第２レンズ群前群Ｇ２Ａと第２レンズ群後群Ｇ２Ｂは、無限遠物体から近距離物体へのフォーカシングに際して、独立に物体側へ移動する。
【００３３】
第２レンズ群前群Ｇ２Ａは、両凸レンズ、並びに両凸レンズ及び両凹レンズから成り、負の屈折力を持つ接合レンズから構成され、全体として正の屈折力を持つ。
【００３４】
開口絞りＳは第２レンズ群前群Ｇ２Ａと第２レンズ群後群Ｇ２Ｂとの間に配置され、無限遠物体から近距離物体へのフォーカシングに際して、第２レンズ群後群Ｇ２Ｂと同じ軌跡で物体側へ移動する。
【００３５】
第２レンズ群後群Ｇ２Ｂは、物体側に凹面を向けた正メニスカスレンズと両凹レンズと両凸レンズから成り、負の屈折力を持つ３枚接合レンズ、両凸レンズ、両凹レンズ、並びに物体側像面側両面に非球面を形成した両凸レンズから構成され、全体として正の屈折力を持つ。
【実施例２】
【００３６】
図６は、本発明の実施例２の光学系のレンズ構成図である。第１レンズ群Ｇ１は、物体側から順に、請求項１に記載のＬ１にあたる物体側に凸面を向けた負メニスカスレンズ、物体側に非球面を形成した凸面を向けた負メニスカスレンズ、物体側に凸面を向けた負メニスカスレンズ、両凸レンズ、並びに両凹レンズ及び両凸レンズから成り、正の屈折力を持つ接合レンズから構成され、全体として負の屈折力を持つ。また、第１レンズ群Ｇ１は、無限遠物体から近距離物体へのフォーカシングに際して像面に対する位置が固定である。
【００３７】
第２レンズ群Ｇ２は、第２レンズ群前群Ｇ２Ａと第２レンズ群後群Ｇ２Ｂとから成り、全体として正の屈折力を持つ。また、第２レンズ群前群Ｇ２Ａと第２レンズ群後群Ｇ２Ｂは、無限遠物体から近距離物体へのフォーカシングに際して、独立に物体側へ移動する。
【００３８】
第２レンズ群前群Ｇ２Ａは、両凸レンズ、並びに両凸レンズ及び両凹レンズから成り、負の屈折力を持つ接合レンズから構成され、全体として正の屈折力を持つ。
【００３９】
開口絞りＳは第２レンズ群前群Ｇ２Ａと第２レンズ群後群Ｇ２Ｂとの間に配置され、無限遠物体から近距離物体へのフォーカシングに際して、第２レンズ群後群Ｇ２Ｂと同じ軌跡で物体側へ移動する。
【００４０】
第２レンズ群後群Ｇ２Ｂは、物体側に凹面を向けた正メニスカスレンズと両凹レンズと両凸レンズから成り、負の屈折力を持つ３枚接合レンズ、両凸レンズ、両凹レンズ、並びに物体側像面側両面に非球面を形成した両凸レンズから構成され、全体として正の屈折力を持つ。
【実施例３】
【００４１】
図１１は、本発明の実施例３の光学系のレンズ構成図である。第１レンズ群Ｇ１は、物体側から順に、請求項１に記載のＬ１にあたる物体側に凸面を向けた負メニスカスレンズ、物体側に非球面を形成した凸面を向けた負メニスカスレンズ、物体側に凸面を向けた負メニスカスレンズ、両凸レンズ、並びに両凹レンズ及び両凸レンズから成り、正の屈折力を持つ接合レンズから構成され、全体として負の屈折力を持つ。また、第１レンズ群Ｇ１は、無限遠物体から近距離物体へのフォーカシングに際して像面に対する位置が固定である。
【００４２】
第２レンズ群Ｇ２は、第２レンズ群前群Ｇ２Ａと第２レンズ群後群Ｇ２Ｂとから成り、全体として正の屈折力を持つ。また、第２レンズ群前群Ｇ２Ａと第２レンズ群後群Ｇ２Ｂは、無限遠物体から近距離物体へのフォーカシングに際して、一体となって物体側へ移動する。
【００４３】
第２レンズ群前群Ｇ２Ａは、物体側に凹面を向けた正メニスカスレンズ、並びに物体側に凹面を向けた正メニスカスレンズ及び物体側に凹面を向けた負メニスカスレンズから成り、負の屈折力を持つ接合レンズから構成され、全体として正の屈折力を持つ。
【００４４】
開口絞りＳは第２レンズ群前群Ｇ２Ａと第２レンズ群後群Ｇ２Ｂとの間に配置され、無限遠物体から近距離物体へのフォーカシングに際して、第２レンズ群Ｇ２と同じ軌跡で物体側へ移動する。
【００４５】
第２レンズ群後群Ｇ２Ｂは、物体側に凹面を向けた正メニスカスレンズと両凹レンズと両凸レンズから成り、負の屈折力を持つ３枚接合レンズ、両凸レンズ、両凹レンズ、並びに物体側像面側両面に非球面を形成した両凸レンズから構成され、全体として正の屈折力を持つ。
【実施例４】
【００４６】
図１６は、本発明の実施例４の光学系のレンズ構成図である。第１レンズ群Ｇ１は、物体側から順に、請求項１に記載のＬ１にあたる物体側に凸面を向けた負メニスカスレンズ、物体側に非球面を形成した凸面を向けた負メニスカスレンズ、物体側に凸面を向けた負メニスカスレンズ、両凸レンズ、並びに両凹レンズ及び両凸レンズから成り、正の屈折力を持つ接合レンズから構成され、全体として負の屈折力を持つ。また、第１レンズ群Ｇ１は、無限遠物体から近距離物体へのフォーカシングに際して像面に対する位置が固定である。
【００４７】
第２レンズ群Ｇ２は、第２レンズ群前群Ｇ２Ａと第２レンズ群後群Ｇ２Ｂとから成り、全体として正の屈折力を持つ。また、第２レンズ群前群Ｇ２Ａと第２レンズ群後群Ｇ２Ｂは、無限遠物体から近距離物体へのフォーカシングに際して、独立して物体側へ移動する。
【００４８】
第２レンズ群前群Ｇ２Ａは、両凸レンズ、並びに両凸レンズ及び両凹レンズから成り、負の屈折力を持つ接合レンズから構成され、全体として正の屈折力を持つ。
【００４９】
開口絞りＳは第２レンズ群前群Ｇ２Ａと第２レンズ群後群Ｇ２Ｂとの間に配置され、無限遠物体から近距離物体へのフォーカシングに際して、第２レンズ群後群Ｇ２Ｂと同じ軌跡で物体側へ移動する。
【００５０】
第２レンズ群後群Ｇ２Ｂは、物体側に凹面を向けた正メニスカスレンズと両凹レンズと両凸レンズから成り、負の屈折力を持つ３枚接合レンズ、両凸レンズ、物体側に非球面を形成した凹面を向けた正メニスカスレンズ及び両凹レンズから成り、負の屈折力を持つ接合レンズ、両凸レンズ及び両凹レンズから成り、正の屈折力を持つ接合レンズ、並びに物体側像面側両面に非球面を形成した両凸レンズから構成され、全体として正の屈折力を持つ。
【実施例５】
【００５１】
図２１は、本発明の実施例５の光学系のレンズ構成図である。第１レンズ群Ｇ１は、物体側から順に、請求項１に記載のＬ１にあたる物体側に凸面を向けた負メニスカスレンズ、物体側に非球面を形成した凸面を向けた負メニスカスレンズ、物体側に凸面を向けた負メニスカスレンズ、両凸レンズ、並びに両凹レンズ及び両凸レンズから成り、正の屈折力を持つ接合レンズから構成され、全体として負の屈折力を持つ。また、第１レンズ群Ｇ１は、無限遠物体から近距離物体へのフォーカシングに際して像面に対する位置が固定である。
【００５２】
第２レンズ群Ｇ２は、第２レンズ群前群Ｇ２Ａと第２レンズ群後群Ｇ２Ｂとから成り、全体として正の屈折力を持つ。また、第２レンズ群前群Ｇ２Ａと第２レンズ群後群Ｇ２Ｂは、無限遠物体から近距離物体へのフォーカシングに際して、独立に物体側へ移動する。
【００５３】
第２レンズ群前群Ｇ２Ａは、両凹レンズ、両凸レンズ、並びに両凸レンズ及び物体側に凹面を向けた負メニスカスレンズから成り、負の屈折力を持つ接合レンズから構成され、全体として正の屈折力を持つ。
【００５４】
開口絞りＳは第２レンズ群前群Ｇ２Ａと第２レンズ群後群Ｇ２Ｂとの間に配置され、無限遠物体から近距離物体へのフォーカシングに際して、第２レンズ群後群Ｇ２Ｂと同じ軌跡で物体側へ移動する。
【００５５】
第２レンズ群後群Ｇ２Ｂは、両凹レンズ及び両凸レンズから成り、負の屈折力を持つ接合レンズ、両凸レンズ、両凹レンズ、並びに物体側像面側両面に非球面を形成した両凸レンズから構成され、全体として正の屈折力を持つ。
【実施例６】
【００５６】
図２６は、本発明の実施例６の光学系のレンズ構成図である。第１レンズ群Ｇ１は、物体側から順に、請求項１に記載のＬ１にあたる物体側に凸面を向けた負メニスカスレンズ、物体側に非球面を形成した凸面を向けた負メニスカスレンズ、物体側に凸面を向けた負メニスカスレンズ、両凸レンズ、並びに両凹レンズ及び両凸レンズから成り、正の屈折力を持つ接合レンズから構成され、全体として負の屈折力を持つ。また、第１レンズ群Ｇ１は、無限遠物体から近距離物体へのフォーカシングに際して像面に対する位置が固定である。
【００５７】
第２レンズ群Ｇ２は、第２レンズ群前群Ｇ２Ａと第２レンズ群後群Ｇ２Ｂとから成り、全体として正の屈折力を持つ。また、第２レンズ群前群Ｇ２Ａと第２レンズ群後群Ｇ２Ｂは、無限遠物体から近距離物体へのフォーカシングに際して、独立に物体側へ移動する。
【００５８】
第２レンズ群前群Ｇ２Ａは、両凸レンズ、並びに両凸レンズ及び両凹レンズから成り、負の屈折力を持つ接合レンズから構成され、全体として正の屈折力を持つ。
【００５９】
開口絞りＳは第２レンズ群前群Ｇ２Ａと第２レンズ群後群Ｇ２Ｂとの間に配置され、無限遠物体から近距離物体へのフォーカシングに際して、第２レンズ群後群Ｇ２Ｂと同じ軌跡で物体側へ移動する。
【００６０】
第２レンズ群後群Ｇ２Ｂは、物体側に凹面を向けた正メニスカスレンズと両凹レンズと両凸レンズから成り、負の屈折力を持つ３枚接合レンズ、両凸レンズ、両凹レンズ、並びに物体側像面側両面に非球面を形成した両凸レンズから構成され、全体として正の屈折力を持つ。
【実施例７】
【００６１】
図３１は、本発明の実施例７の光学系のレンズ構成図である。第１レンズ群Ｇ１は、物体側から順に、請求項１に記載のＬ１にあたる物体側に凸面を向けた負メニスカスレンズ、物体側に非球面を形成した凸面を向けた負メニスカスレンズ、物体側に凸面を向けた負メニスカスレンズ、両凸レンズ、並びに両凹レンズ及び両凸レンズから成り、正の屈折力を持つ接合レンズから構成され、全体として負の屈折力を持つ。また、第１レンズ群Ｇ１は、無限遠物体から近距離物体へのフォーカシングに際して像面に対する位置が固定である。
【００６２】
第２レンズ群Ｇ２は、第２レンズ群前群Ｇ２Ａと第２レンズ群後群Ｇ２Ｂとから成り、全体として正の屈折力を持つ。また、第２レンズ群前群Ｇ２Ａと第２レンズ群後群Ｇ２Ｂは、無限遠物体から近距離物体へのフォーカシングに際して、独立に物体側へ移動する。
【００６３】
第２レンズ群前群Ｇ２Ａは、両凸レンズ、並びに両凸レンズ及び両凹レンズから成り、負の屈折力を持つ接合レンズから構成され、全体として正の屈折力を持つ。
【００６４】
開口絞りＳは第２レンズ群前群Ｇ２Ａと第２レンズ群後群Ｇ２Ｂとの間に配置され、無限遠物体から近距離物体へのフォーカシングに際して、第２レンズ群後群Ｇ２Ｂと同じ軌跡で物体側へ移動する。
【００６５】
第２レンズ群後群Ｇ２Ｂは、物体側に凹面を向けた正メニスカスレンズと両凹レンズと両凸レンズから成り、負の屈折力を持つ３枚接合レンズ、両凸レンズ、両凹レンズ、並びに物体側像面側両面に非球面を形成した両凸レンズから構成され、全体として正の屈折力を持つ。
【実施例８】
【００６６】
図３６は、本発明の実施例８の光学系のレンズ構成図である。第１レンズ群Ｇ１は、物体側から順に、請求項１に記載のＬ１にあたる物体側に凸面を向けた負メニスカスレンズ、物体側に非球面を形成した凸面を向けた負メニスカスレンズ、物体側に凹面を向けた負メニスカスレンズ及び物体側に凹面を向けた正メニスカスレンズから成り、負の屈折力を持つ接合レンズ、並びに両凸レンズから構成され、全体として正の屈折力を持つ。また、第１レンズ群Ｇ１は、無限遠物体から近距離物体へのフォーカシングに際して像面に対する位置が固定である。
【００６７】
第２レンズ群Ｇ２は、第２レンズ群前群Ｇ２Ａと第２レンズ群後群Ｇ２Ｂとから成り、全体として正の屈折力を持つ。また、第２レンズ群前群Ｇ２Ａと第２レンズ群後群Ｇ２Ｂは、無限遠物体から近距離物体へのフォーカシングに際して、一体となって物体側へ移動する。
【００６８】
第２レンズ群前群Ｇ２Ａは、両凹レンズ、両凸レンズ、並びに両凸レンズ及び物体側に凹面を向けた負メニスカスレンズから成り、負の屈折力を持つ接合レンズから構成され、全体として正の屈折力を持つ。
【００６９】
開口絞りＳは第２レンズ群前群Ｇ２Ａと第２レンズ群後群Ｇ２Ｂとの間に配置され、無限遠物体から近距離物体へのフォーカシングに際して、第２レンズ群Ｇ２と同じ軌跡で物体側へ移動する。
【００７０】
第２レンズ群後群Ｇ２Ｂは、両凹レンズ及び両凸レンズから成り、負の屈折力を持つ接合レンズ、両凸レンズ、物体側に凸面を向けた負メニスカスレンズ、並びに物体側像面側両面に非球面を形成した両凸レンズから構成され、全体として正の屈折力を持つ。
【実施例９】
【００７１】
図４１は、本発明の実施例９の光学系のレンズ構成図である。第１レンズ群Ｇ１は、物体側から順に、物体側に非球面を形成した凸面を向けた負メニスカスレンズ、請求項１に記載のＬ１にあたる物体側に凸面を向けた負メニスカスレンズ、物体側に凸面を向けた負メニスカスレンズ、両凸レンズ、並びに両凹レンズ及び両凸レンズから成り、正の屈折力を持つ接合レンズから構成され、全体として負の屈折力を持つ。また、第１レンズ群Ｇ１は、無限遠物体から近距離物体へのフォーカシングに際して像面に対する位置が固定である。
【００７２】
第２レンズ群Ｇ２は、第２レンズ群前群Ｇ２Ａと第２レンズ群後群Ｇ２Ｂとから成り、全体として正の屈折力を持つ。また、第２レンズ群前群Ｇ２Ａと第２レンズ群後群Ｇ２Ｂは、無限遠物体から近距離物体へのフォーカシングに際して、独立に物体側へ移動する。
【００７３】
第２レンズ群前群Ｇ２Ａは、両凸レンズ、並びに両凸レンズ及び両凹レンズから成り、負の屈折力を持つ接合レンズから構成され、全体として正の屈折力を持つ。
【００７４】
開口絞りＳは第２レンズ群前群Ｇ２Ａと第２レンズ群後群Ｇ２Ｂとの間に配置され、無限遠物体から近距離物体へのフォーカシングに際して、第２レンズ群後群Ｇ２Ｂと同じ軌跡で物体側へ移動する。
【００７５】
第２レンズ群後群Ｇ２Ｂは、物体側に凹面を向けた正メニスカスレンズと両凹レンズと両凸レンズから成り、負の屈折力を持つ３枚接合レンズ、両凸レンズ、両凹レンズ、並びに物体側像面側両面に非球面を形成した両凸レンズから構成され、全体として正の屈折力を持つ。
【００７６】
以下に、前述した本発明の結像光学系の各実施例の具体的な数値データを示す。
【００７７】
［面データ］において、面番号は物体側から数えたレンズ面又は開口絞りの番号、ｒは各面の曲率半径、ｄは各面の間隔、ｎｄはｄ線（波長５８７．５６ｎｍ）に対する屈折率、ｖｄはｄ線に対するアッベ数を示している。
【００７８】
面番号に付した＊（アスタリスク）は、そのレンズ面形状が非球面であることを示している。また、ＢＦはバックフォーカスを表している。
【００７９】
面番号に付した（絞り）は、その位置に開口絞りが位置していることを示している。平面又は開口絞りに対する曲率半径には∞（無限大）を記入している。
【００８０】
［非球面データ］には、［面データ］において＊を付したレンズ面の非球面形状を与える各係数値を示している。非球面の形状は、非球面の形状は、光軸に直行する方向への光軸からの変位をｙ、非球面と光軸の交点から光軸方向への変位（サグ量）をｚ、基準球面の曲率半径をｒ、コーニック係数をＫ、４、６、８、１０、１２次の非球面係数をそれぞれＡ４、Ａ６、Ａ８、Ａ１０、Ａ１２と置くとき、非球面の座標が以下の式で表されるものとする。
【００８１】
0006413392.tif 000002
【００８２】
［各種データ］には、各撮影距離状態における焦点距離等の値を示している。
【００８３】
［可変間隔データ］には、各撮影距離状態における可変間隔及びＢＦの値を示している。
【００８４】
［レンズ群データ］には、各レンズ群を構成する最も物体側の面番号及び群全体の合成焦点距離を示している。
【００８５】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【００８６】
また、これらの各実施例における条件式の対応値の一覧を示す。
【００８７】
また、各実施例に対応する収差図において、ｄ、ｇ、Ｃはそれぞれｄ線、ｇ線、Ｃ線を表しており、△Ｓ、△Ｍはそれぞれサジタル像面、メリジオナル像面を表している。
【００８８】
数値実施例1
単位：mm
[面データ]
面番号            r              d             nd             vd
物面                  ∞           (d0)
1              53.9982         1.8000        1.92119          23.96
2              25.7944         5.0922
3*             45.1546         2.4000        1.58913          61.25
4              28.8431         7.6405
5             100.4997         1.4000        1.43700          95.10
6              32.8511         6.1150
7             143.4549         4.2773        1.90366          31.32
8            -119.4892         3.2925
9             -41.2211         2.4229        1.43700          95.10
10              59.9885         5.7000        2.00100          29.13
11            -177.6617          (d11)
12              49.5300         6.9508        1.59282          68.63
13             -64.3890         0.2000
14              68.3007         5.6229        1.59282          68.63
15             -52.5390         0.9000        1.64769          33.84
16              33.9121          (d16)
17(絞り)                ∞         4.1343
18             -31.5430         5.5164        1.43700          95.10
19             -16.7305         0.9000        1.80610          33.27
20             189.9985         3.3257        1.59282          68.63
21             -73.8340         0.1500
22              67.3617         7.8492        1.59282          68.63
23             -33.3415         0.1500
24            -169.3198         0.9000        1.60342          38.01
25              77.1561         0.4138
26*             81.0787         5.8071        1.77250          49.47
27*            -42.4883           (BF)
像面                  ∞
[非球面データ]
3面           26面           27面
K                0.0000         0.0000         0.0000
A4           5.04840E-06   -4.73140E-06    4.41070E-06
A6           4.60040E-09   -1.83480E-09   -1.73090E-09
A8          -5.25920E-12   -2.61740E-12    9.75320E-13
A10          1.99610E-14    2.04104E-14    3.31800E-14
A12         -1.20870E-17    0.00000E+00    0.00000E+00
[各種データ]
INF           248mm
焦点距離             24.65          24.99
Fナンバー             1.47           1.60
全画角2ω            83.38          79.42
像高Y              21.63          21.63
レンズ全長           132.60         132.60
[可変間隔データ]
INF           248mm
d0                   ∞       115.0000
d11              5.2435         1.0000
d16              5.9413         5.2837
BF              38.4500        43.3511
[レンズ群データ]
群            始面         焦点距離
G1              1              -129.91
G2A            12                81.81
G2B            17                42.03
【００８９】
数値実施例2
単位：mm
[面データ]
面番号            r              d             nd             vd
物面                  ∞           (d0)
1              52.9527         1.8000        1.92286          20.88
2              25.6796         4.9458
3*             44.3305         2.4000        1.58913          61.25
4              28.4421         6.4841
5              61.5811         1.4575        1.49700          81.61
6              29.6552         7.1446
7             217.0324         3.8138        1.84666          23.78
8            -114.6958         3.7316
9             -36.9893         1.2015        1.43700          95.10
10              62.6771         6.0183        2.00100          29.13
11            -121.4815          (d11)
12              52.7131         6.9961        1.59282          68.63
13             -60.1771         0.1500
14              60.3671         6.3723        1.59282          68.63
15             -46.4179         0.9380        1.64769          33.84
16              33.0310          (d16)
17(絞り)                ∞         4.1387
18             -31.5793         5.5669        1.43700          95.10
19             -16.6703         0.9000        1.80610          33.27
20             189.9985         3.2549        1.59282          68.63
21             -75.7335         0.1500
22              67.5354         8.0112        1.59282          68.63
23             -33.3300         0.1500
24            -425.2490         0.9000        1.64769          33.84
25              74.8027         0.5082
26*             84.3626         5.6578        1.77250          49.47
27*            -43.8540           (BF)
像面                  ∞
[非球面データ]
3面           26面           27面
K                0.0000         0.0000         0.0000
A4           4.99990E-06   -4.59320E-06    4.11970E-06
A6           5.57700E-09   -1.48930E-09   -9.33600E-10
A8          -8.53400E-12   -1.39060E-12    1.46470E-12
A10          2.66400E-14    1.82930E-14    3.36550E-14
A12         -1.89970E-17    0.00000E+00    0.00000E+00
[各種データ]
INF           247mm
焦点距離             24.49          25.02
Fナンバー             1.47           1.60
全画角2ω            83.73          78.99
像高Y              21.63          21.63
レンズ全長           132.47         132.47
[可変間隔データ]
INF           247mm
d0                   ∞       115.0000
d11              5.6124         1.0000
d16              5.7122         5.3566
BF              38.4500        43.4180
[レンズ群データ]
群            始面         焦点距離
G1              1              -108.58
G2A            12                76.76
G2B            17                41.99
【００９０】
数値実施例3
単位：mm
[面データ]
面番号            r              d             nd             vd
物面                  ∞           (d0)
1              36.9161         1.8000        1.92119          23.96
2              20.9188         5.7134
3*             38.0407         2.4000        1.77250          49.47
4              21.1282        11.0855
5              41.4616         1.4000        1.88100          40.14
6              25.6108         4.6815
7             121.6060         2.7670        1.90366          31.32
8            -196.2878         3.0066
9             -30.5675         2.1784        1.43700          95.10
10              42.2765         5.2781        2.00100          29.13
11             -80.7658          (d11)
12            -192.0430         4.0273        1.48749          70.45
13             -35.6620         0.1500
14            -240.0654         6.6999        1.59349          67.00
15             -18.3093         3.4893        1.59551          39.22
16            -236.6000         2.5923
17(絞り)                ∞         7.7207
18             -76.6190         5.7276        1.43700          95.10
19             -17.0729         0.9000        1.80610          33.27
20              75.0269         3.5756        1.49700          81.61
21             -57.4668         0.2127
22              45.4311         6.9569        1.59282          68.63
23             -41.7583         3.9855
24            -192.8879         0.9000        1.65844          50.86
25             138.6920         0.4232
26*           1000.0000         8.3375        1.77250          49.47
27*            -41.7947           (BF)
像面                  ∞
[非球面データ]
3面           26面           27面
K                0.0000         0.0000         0.0000
A4           7.81260E-06   -2.26780E-07    9.04220E-06
A6           5.35650E-09    1.89890E-08    1.70770E-08
A8           6.62060E-12    6.44660E-11    7.56060E-11
A10         -5.12830E-15   -1.12540E-13   -5.09220E-15
A12          6.22460E-17    0.00000E+00    0.00000E+00
[各種データ]
INF           251mm
焦点距離             20.70          21.01
Fナンバー             1.84           1.95
全画角2ω            93.42          90.34
像高Y              21.63          21.63
レンズ全長           139.73         139.73
[可変間隔データ]
INF           251mm
d0                   ∞       111.0000
d11              5.2703         1.7472
BF              38.4500        41.9731
[レンズ群データ]
群            始面         焦点距離
G1              1              -115.63
G2A            12                90.72
G2B            17                47.96
【００９１】
数値実施例4
単位：mm
[面データ]
面番号            r              d             nd             vd
物面                  ∞           (d0)
1              38.0369         1.8000        1.92286          20.88
2              21.8971         5.4525
3*             41.3472         2.3000        1.59201          67.02
4              20.8595         8.1015
5              89.3006         1.4000        1.72916          54.67
6              27.8515         5.5096
7             375.3915         3.3184        1.90366          31.32
8             -75.8804         2.8695
9             -29.5627         2.3643        1.43700          95.10
10              51.7385         5.5852        2.00100          29.13
11             -74.5676          (d11)
12             106.2400         5.7029        1.48749          70.45
13             -44.2779         0.1500
14             244.9722         5.8941        1.59349          67.00
15             -22.5201         0.9000        1.54814          45.82
16              43.8541          (d16)
17(絞り)                ∞         4.0224
18            -104.5788         6.2852        1.43700          95.10
19             -15.6642         0.9000        1.80610          33.27
20             162.2293         3.7932        1.49700          81.61
21             -37.5061         0.1500
22              41.9806         6.1671        1.59282          68.63
23             -45.4887         0.7000
24*           -134.5076         2.6215        1.49710          81.56
25             -67.2759         0.9000        1.91082          35.25
26              54.5497         1.0000
27              41.6541         8.5117        1.74077          27.76
28             -25.5900         0.9000        1.72825          28.32
29             104.3347         0.7765
30*            130.4572         4.6998        1.77250          49.47
31*            -43.1353           (BF)
像面                  ∞
[非球面データ]
3面           24面           30面           31面
K                0.0000         0.0000         0.0000         0.0000
A4           8.56960E-06    8.63810E-06   -1.01840E-05    4.41540E-06
A6           7.37790E-09   -1.55720E-09    2.00280E-09    2.09150E-09
A8          -1.00490E-11    2.73070E-11    1.60240E-11    5.29380E-11
A10          4.89800E-14   -4.33030E-14    2.69040E-14    2.27950E-14
A12         -2.01230E-17    0.00000E+00    0.00000E+00    0.00000E+00
[各種データ]
INF           257mm
焦点距離             20.70          21.09
Fナンバー             1.84           1.94
全画角2ω            93.50          89.92
像高Y              21.63          21.63
レンズ全長           142.08         142.08
[可変間隔データ]
INF           257mm
d0                   ∞       115.0000
d11              5.3184         1.7019
d16              5.5392         5.6668
BF              38.4500        41.9389
[レンズ群データ]
群            始面         焦点距離
G1              1               -97.34
G2A            12               119.98
G2B            17                42.26
【００９２】
数値実施例5
単位：mm
[面データ]
面番号            r              d             nd             vd
物面                  ∞           (d0)
1              48.6942         1.8000        1.92119          23.96
2              24.2145         4.5155
3*             38.6205         2.4000        1.58913          61.25
4              25.3098         8.8680
5             107.4568         1.4000        1.43700          95.10
6              35.1687         5.2463
7             296.9124         3.6832        1.90366          31.32
8            -135.7009         4.9858
9             -33.6202         1.6388        1.43700          95.10
10              60.2091         7.5840        2.00100          29.13
11             -71.4441          (d11)
12            -110.0676         1.0000        1.84666          23.78
13             197.6122         0.1500
14              48.5778         7.6303        1.72916          54.67
15             -67.6479         2.8412
16            6011.8690         6.5582        1.49700          81.61
17             -28.9640         1.0000        1.64769          33.84
18            -274.2295          (d18)
19(絞り)                ∞         8.6187
20             -27.3418         1.0000        1.90366          31.32
21              99.0046         4.0553        1.49700          81.61
22             -80.3283         0.1500
23              57.2795         8.4124        1.59282          68.63
24             -37.0108         0.1500
25           -1196.7781         1.0000        1.64769          33.84
26              77.6045         0.2261
27*             73.3168         5.1608        1.77250          49.47
28*            -56.6801           (BF)
像面                  ∞
[非球面データ]
3面           27面           28面
K                0.0000         0.0000         0.0000
A4           5.92970E-06   -4.51570E-06    4.33210E-06
A6           4.56820E-09   -1.67720E-09   -8.05750E-10
A8           1.34430E-11   -2.87860E-12    1.22880E-12
A10         -3.07480E-14    2.11740E-14    3.40940E-14
A12          6.21640E-17    0.00000E+00    0.00000E+00
[各種データ]
INF           249mm
焦点距離             24.70          24.61
Fナンバー             1.45           1.58
全画角2ω            83.38          81.09
像高Y              21.63          21.63
レンズ全長           137.66         137.66
[可変間隔データ]
INF           249mm
d0                   ∞       111.0000
d11              4.9935         1.0848
d18              4.1895         3.1922
BF              38.4000        43.3060
[レンズ群データ]
群            始面         焦点距離
G1              1              -399.29
G2A            12                88.25
G2B            19                51.36
【００９３】
数値実施例6
単位：mm
[面データ]
面番号            r              d             nd             vd
物面                  ∞           (d0)
1              51.5712         1.8000        2.00069          25.46
2              25.9717         4.8921
3*             45.6586         2.4000        1.55332          71.68
4              28.9892         7.6016
5              99.5026         1.4000        1.43700          95.10
6              31.6707         6.4990
7             159.5741         4.2317        1.90366          31.32
8            -111.4709         3.4103
9             -39.6529         1.2000        1.43700          95.10
10              55.4171         6.0891        1.95375          32.32
11            -156.2450          (d11)
12              54.7322         6.8314        1.59282          68.63
13             -61.1488         0.1500
14              66.3904         6.5327        1.59282          68.63
15             -41.1595         0.9000        1.62588          35.74
16              33.5043          (d16)
17(絞り)                ∞         4.1304
18             -31.6714         5.5688        1.43700          95.10
19             -16.6765         0.9000        1.80610          33.27
20             189.9985         3.2624        1.59282          68.63
21             -75.1717         0.1500
22              68.0396         8.0032        1.59282          68.63
23             -33.1501         0.1500
24            -224.1311         0.9000        1.58144          40.89
25              81.2938         0.4907
26*             91.8675         5.5606        1.77250          49.47
27*            -43.5185           (BF)
像面                  ∞
[非球面データ]
3面           26面           27面
K                0.0000         0.0000         0.0000
A4           5.13060E-06   -4.71490E-06    4.04100E-06
A6           6.13890E-09   -1.07430E-09   -1.80070E-10
A8          -1.20740E-11   -9.44910E-12   -9.78180E-12
A10          3.58700E-14    5.86540E-14    7.98640E-14
A12         -2.65040E-17    0.00000E+00    0.00000E+00
[各種データ]
INF           248mm
焦点距離             24.61          25.08
Fナンバー             1.47           1.60
全画角2ω            83.38          79.42
像高Y              21.63          21.63
レンズ全長           132.77         132.77
[可変間隔データ]
INF           248mm
d0                   ∞       115.0000
d11              5.5704         1.0000
d16              5.6974         5.3184
BF              38.4500        43.3994
[レンズ群データ]
群            始面         焦点距離
G1              1              -119.68
G2A            12                79.27
G2B            17                42.10
【００９４】
数値実施例7
単位：mm
[面データ]
面番号            r              d             nd             vd
物面                  ∞           (d0)
1              56.0233         1.8000        1.84666          23.78
2              25.5814         5.1355
3*             44.5434         2.4000        1.59201          67.02
4              28.5801         7.0970
5              77.3464         1.4000        1.49700          81.61
6              31.3112         6.6603
7             187.0945         3.9481        1.90366          31.32
8            -116.8999         3.4684
9             -39.3580         1.2000        1.43700          95.10
10              57.2979         5.9672        2.00100          29.13
11            -158.5596          (d11)
12              51.0952         6.9387        1.59282          68.63
13             -61.7828         0.1500
14              65.8915         6.2331        1.59282          68.63
15             -45.2788         0.9000        1.64769          33.84
16              34.3871          (d16)
17(絞り)                ∞         4.1217
18             -31.7804         5.5796        1.43700          95.10
19             -16.6766         0.9000        1.80610          33.27
20             189.9985         3.2952        1.59282          68.63
21             -73.5337         0.1500
22              68.6094         7.9969        1.59282          68.63
23             -33.0851         0.1500
24            -242.9528         0.9000        1.65412          39.68
25              85.1798         0.3440
26*             87.1420         5.6416        1.77250          49.47
27*            -43.2366           (BF)
像面                  ∞
[非球面データ]
3面           26面           27面
K                0.0000         0.0000         0.0000
A4           4.96320E-06   -4.77020E-06    4.21250E-06
A6           5.44830E-09   -9.18600E-10   -3.22250E-10
A8          -9.57310E-12   -8.57660E-12   -8.16280E-12
A10          2.95090E-14    5.69950E-14    7.68990E-14
A12         -2.07650E-17    0.00000E+00    0.00000E+00
[各種データ]
INF           247mm
焦点距離             24.70          25.19
Fナンバー             1.47           1.60
全画角2ω            83.27          78.72
像高Y              21.63          21.63
レンズ全長           132.13         132.13
[可変間隔データ]
INF           247mm
d0                   ∞       115.0000
d11              5.5831         1.0222
d16              5.7162         5.2561
BF              38.4500        43.4710
[レンズ群データ]
群            始面         焦点距離
G1              1              -113.22
G2A            12                77.89
G2B            17                41.91
【００９５】
数値実施例8
単位：mm
[面データ]
面番号            r              d             nd             vd
物面                  ∞           (d0)
1              47.0982         2.0000        1.92286          20.88
2              24.1390         5.7297
3*             49.7178         3.2448        1.59201          67.02
4              23.7204        17.7306
5             -27.6508         1.2000        1.43700          95.10
6            -147.5540         4.1849        1.95375          32.32
7             -54.7178         2.0393
8              59.2638         5.8573        1.84666          23.78
9            -171.4694           (d9)
10            -269.6353         1.0000        1.58144          40.89
11              44.6645         0.6198
12              35.7661         8.7176        1.72916          54.67
13             -89.7356         2.5852
14             237.0693         5.6401        1.49700          81.61
15             -38.1252         1.0000        1.84666          23.78
16            -443.9766         2.7739
17(絞り)                ∞         6.0513
18             -27.0265         1.0000        1.90366          31.32
19              54.9347         3.8401        1.59282          68.63
20            -281.1616         0.1500
21              54.1678         7.7467        1.59282          68.63
22             -36.6443         0.1500
23             493.2699         1.0000        1.64769          33.84
24              58.4304         0.6000
25*             59.2080         5.5618        1.77250          49.47
26*            -50.7173           (BF)
像面                  ∞
[非球面データ]
3面           25面           26面
K                0.0000         0.0000         0.0000
A4           6.97580E-06   -6.07260E-06    3.69420E-06
A6           1.00020E-08   -1.51430E-09   -3.87740E-10
A8          -1.58020E-11   -3.47240E-12   -3.75270E-12
A10          4.22190E-14   -1.87510E-14    1.23000E-14
A12          0.00000E+00    0.00000E+00    0.00000E+00
[各種データ]
INF           250mm
焦点距離             24.72          24.46
Fナンバー             1.45           1.57
全画角2ω            83.00          80.91
像高Y              21.63          21.63
レンズ全長           134.52         134.52
[可変間隔データ]
INF           250mm
d0                   ∞       115.0000
d9               5.6956         1.1307
BF              38.4001        42.9650
[レンズ群データ]
群            始面         焦点距離
G1              1               214.79
G2A            10               112.15
G2B            17                53.63
【００９６】
数値実施例9
単位：mm
[面データ]
面番号            r              d             nd             vd
物面                  ∞           (d0)
1*             79.8305         2.4000        1.77250          49.47
2              31.4832         1.9259
3              35.4631         1.8000        1.94595          17.98
4              25.0147         8.6805
5             103.8013         1.4000        1.49700          81.61
6              31.5153         5.6730
7             174.5466         4.0737        2.00100          29.13
8            -116.8606         3.2089
9             -42.0117         3.2422        1.43700          95.10
10              50.1911         6.4331        1.91082          35.25
11            -164.7435          (d11)
12              51.1717         6.8222        1.59282          68.63
13             -61.4634         0.5482
14              92.9553         5.1576        1.59282          68.63
15             -81.8385         1.8480        1.64769          33.84
16              39.8475          (d16)
17(絞り)                ∞         4.1127
18             -31.8860         5.5840        1.43700          95.10
19             -16.6828         0.9000        1.80610          33.27
20             189.9985         3.2745        1.59282          68.63
21             -74.4931         0.1500
22              69.5309         7.9881        1.59282          68.63
23             -32.8724         0.1500
24            -382.0284         0.9000        1.61340          44.27
25              94.0861         0.3651
26*             96.9393         5.3017        1.77250          49.47
27*            -46.2150           (BF)
像面                  ∞
[非球面データ]
1面           26面           27面
K                0.0000         0.0000         0.0000
A4           3.14950E-06   -4.73660E-06    3.98950E-06
A6          -9.52110E-10   -1.96130E-09   -1.92030E-09
A8           5.87660E-13    1.74990E-12    7.75920E-12
A10          1.34210E-16    1.33460E-14    2.19470E-14
A12         -4.42690E-19    0.00000E+00    0.00000E+00
[各種データ]
INF           247mm
焦点距離             24.70          25.18
Fナンバー             1.47           1.60
全画角2ω            83.22          78.70
像高Y              21.63          21.63
レンズ全長           131.68         131.68
[可変間隔データ]
INF           247mm
d0                   ∞       115.0000
d11              5.5384         1.0503
d16              5.7525         5.1989
BF              38.4500        43.4917
[レンズ群データ]
群            始面         焦点距離
G1              1              -111.93
G2A            12                78.18
G2B            17                41.77
【００９７】
[条件式対応値]
(1)       (2)      (3)    (4)     (5)     (6)     (7)     (8)
nd1L1 vd1mmax-vd1L1 nd1p   nd2p   f/R2bf   f/f1   f/f2a   f/f2b
実施例1   1.92     71.14     1.95   1.60   -0.78   -0.19    0.30    0.59
実施例2   1.92     74.22     1.92   1.60   -0.78   -0.23    0.32    0.58
実施例3   1.92     71.14     1.95   1.56   -0.27   -0.18    0.23    0.43
実施例4   1.92     74.22     1.95   1.58   -0.20   -0.21    0.17    0.49
実施例5   1.92     71.14     1.95   1.62   -0.90   -0.06    0.28    0.48
実施例6   2.00     69.64     1.93   1.60   -0.78   -0.21    0.31    0.58
実施例7   1.85     71.32     1.95   1.60   -0.78   -0.22    0.32    0.59
実施例8   1.92     74.22     1.90   1.64   -0.91    0.12    0.22    0.46
実施例9   1.95     77.12     1.96   1.60   -0.77   -0.22    0.32    0.59
【符号の説明】
【００９８】
Ｇ１      第１レンズ群
Ｇ２      第２レンズ群
Ｇ２Ａ    第２レンズ群前群
Ｇ２Ｂ    第２レンズ群後群
Ｓ        開口絞り
Ｉ        像面
【図１】
0006413392.tif 000003
【図２】
0006413392.tif 000004
【図３】
0006413392.tif 000005
【図４】
0006413392.tif 000006
【図５】
0006413392.tif 000007
【図６】
0006413392.tif 000008
【図７】
0006413392.tif 000009
【図８】
0006413392.tif 000010
【図９】
0006413392.tif 000011
【図１０】
0006413392.tif 000012
【図１１】
0006413392.tif 000013
【図１２】
0006413392.tif 000014
【図１３】
0006413392.tif 000015
【図１４】
0006413392.tif 000016
【図１５】
0006413392.tif 000017
【図１６】
0006413392.tif 000018
【図１７】
0006413392.tif 000019
【図１８】
0006413392.tif 000020
【図１９】
0006413392.tif 000021
【図２０】
0006413392.tif 000022
【図２１】
0006413392.tif 000023
【図２２】
0006413392.tif 000024
【図２３】
0006413392.tif 000025
【図２４】
0006413392.tif 000026
【図２５】
0006413392.tif 000027
【図２６】
0006413392.tif 000028
【図２７】
0006413392.tif 000029
【図２８】
0006413392.tif 000030
【図２９】
0006413392.tif 000031
【図３０】
0006413392.tif 000032
【図３１】
0006413392.tif 000033
【図３２】
0006413392.tif 000034
【図３３】
0006413392.tif 000035
【図３４】
0006413392.tif 000036
【図３５】
0006413392.tif 000037
【図３６】
0006413392.tif 000038
【図３７】
0006413392.tif 000039
【図３８】
0006413392.tif 000040
【図３９】
0006413392.tif 000041
【図４０】
0006413392.tif 000042
【図４１】
0006413392.tif 000043
【図４２】
0006413392.tif 000044
【図４３】
0006413392.tif 000045
【図４４】
0006413392.tif 000046
【図４５】
0006413392.tif 000047